(57)【要約】  シリンドリカルレンズを保持装置にて適切に配設した光ピックアップを提供する。レンズベースの略円筒状の内周面を構成する一対の保持部間に当接面に軸方向の一端周縁が当接する状態にシリンドリカルレンズ３４５を嵌合保持する。保持部の外面のＶ溝部に支持装置のチャック機構を係合して支持させる。支持装置にてシリンドリカルレンズ３４５の光軸方向Ｚ、直交する２つの径方向Ｘ，Ｙおよび回転方向Ｒで位置調整し、レンズベースの取付部をベースに接着固定する。受光素子３５０を位置調整する必要がなく、光ピックアップ３００を容易に小型化できる。
2005093730.tif 000002
【特許請求の範囲】
【請求項１】
筐体と、
この筐体に配設され被照射物に照射する出射光を出射する光源と、
前記被照射物で反射された前記出射光の少なくとも一部を受光して所定の信号を出力する受光手段と、
周縁に少なくとも一平面を有し、前記被照射物から反射された前記出射光の少なくとも一部を前記受光手段に照射させるシリンドリカルレンズと、
光軸方向、直交する２つの径方向および回転方向の４方向で位置調整された前記シリンドリカルレンズを前記筐体に固定する固定部材と、
を具備したことを特徴とした光ピックアップ。
【請求項２】
請求項１に記載の光ピックアップであって、
前記固定部材は、前記シリンドリカルレンズを保持し前記筐体に配設される保持部材を備えた
ことを特徴とした光ピックアップ。
【請求項３】
請求項２に記載の光ピックアップであって、
前記保持部材は、保持する前記シリンドリカルレンズの光軸方向、直交する２つの径方向および回転方向の４方向で支持装置にて前記シリンドリカルレンズを位置調整した状態で前記筐体に接着固定され、前記支持装置の保持が解除されて配設された
ことを特徴とした光ピックアップ。
【請求項４】
請求項１ないし請求項３のいずれかに記載の光ピックアップであって、
前記シリンドリカルレンズは、径方向で対応する一対の平面を有した
ことを特徴とした光ピックアップ。
【請求項５】
光源およびこの光源から出力され被照射物にて反射された出射光の少なくとも一部を受光手段に集光させるシリンドリカルレンズを備えた光ピックアップの製造方法であって、  前記出射光を前記受光手段の位置で非点収差による略線状に集光する前記シリンドリカルレンズの２箇所の位置間に、前記シリンドリカルレンズが少なくとも位置する状態に前記シリンドリカルレンズの光軸方向、直交する２つの径方向および周方向の４方向で位置調整し、
この位置調整した状態で前記シリンドリカルレンズを位置決め固定する
ことを特徴とする光ピックアップの製造方法。
【請求項６】
筐体内に周縁に少なくとも一平面を有するシリンドリカルレンズを配設して光ピックアップを構成させる保持装置であって、
前記シリンドリカルレンズの周縁の少なくとも一平面が臨む開口部を有し、前記シリンドリカルレンズの周縁を前記光軸方向に対して交差する方向で保持する保持部と、
この保持部に設けられ前記シリンドリカルレンズの光軸方向の一端周縁が当接する当接面を有した当接部と、
前記保持部の外面に設けられ支持装置が係脱可能に係合して保持される係合凹部と、
前記保持部の軸方向の一端側に設けられ先端に被取付部に取り付けられる取付面を有した取付部と、
を具備したことを特徴とした保持装置。
【請求項７】
請求項１ないし請求項４のいずれかに記載の光ピックアップにおける前記シリンドリカルレンズを前記筐体内に配設または請求項５に記載の光ピックアップの製造方法における前記シリンドリカルレンズを位置決め固定する保持装置であって、
前記シリンドリカルレンズの周縁の少なくとも一平面が臨む開口部を有し、前記シリンドリカルレンズの周縁を前記光軸方向に対して交差する方向で保持する保持部と、
この保持部に設けられ前記シリンドリカルレンズの光軸方向の一端周縁が当接する当接面を有した当接部と、
前記保持部の外面に設けられ支持装置が係脱可能に係合して保持される係合凹部と、
前記保持部の軸方向の一端側に設けられ先端に被取付部に取り付けられる取付面を有した取付部と、
を具備したことを特徴とした保持装置。
【請求項８】
請求項６または請求項７に記載の保持装置であって、
前記保持部は、中心軸に前記シリンドリカルレンズの光軸方向が略位置する状態に嵌挿される略円筒状に形成された
ことを特徴とした保持装置。
【請求項９】
請求項６ないし請求項８のいずれかに記載の保持装置であって、
前記係合凹部は、前記開口部にて開口される開口面に対して略直交する方向に略Ｖ溝状に形成された
ことを特徴とした保持装置。
【請求項１０】
請求項６ないし請求項９のいずれかに記載の保持装置であって、
前記開口部は、前記支持装置が前記保持されるシリンドリカルレンズの一平面の平面方向を認識可能とする形状に形成された
ことを特徴とした保持装置。
【請求項１１】
請求項６ないし請求項１０のいずれかに記載の保持装置であって、
前記脚部は、前記保持されるシリンドリカルレンズの円周方向に対応する方向における幅寸法が先端に向けて次第に小さくなる形状に形成された
ことを特徴とした保持装置。
【発明の詳細な説明】
【技術分野】
【０００１】
本発明は、光学素子を備えた光ピックアップおよびその製造方法ならびに保持装置に関する。
【背景技術】
【０００２】
従来、記録面に記録された情報を読み取ったり、記録面に各種情報を記録したりする情報処理装置として、光ピックアップにより光ディスクなどのディスク状記録媒体を処理するディスク装置が知られている。このディスク装置の光ピックアップは、適切に情報処理するために各種光学素子が高精度に組み合わせて構成されている。この光ピックアップを良好に組立形成するための各種構成が知られている（例えば、特許文献１または特許文献２参照）。【０００３】
特許文献１に記載のものは、凸レンズ面と凹シリンドリカルレンズ面を有する略円柱状単レンズの光学素子を用いる。この光学素子にシリンドリカル軸に対して４５°傾斜する位置に設けた嵌合部と、保持部材の略凸形状部分とをはめ合わせて結合する。保持部材の基準面を光学ハウジングの基準面に固定し、光学素子により発生する非点収差の方向と光軸方向の位置決めをし、非点収差の方向および光軸方向の位置決めを専用調整装置なしに実施可能で調整工程が不要となる構成が採られている。【０００４】
特許文献２に記載のものは、光ピックアップを構成し受光素子より小型化が容易な凹レンズを凹レンズベースに装着し、凹レンズベースにピックアップの厚さ方向となるｙ方向と直交する溝を設ける。偏心カムにてベース溝を支点とし、ハウジングのｙ方向の基準面に沿ってｙ方向で調整する。受光素子は、ｘ方向のみ十分な調整スペースを確保しておいて調整し、受光素子のピックアップの厚み方向の調整代を不要として超薄型のピックアップを構成している。また、コリメータレンズと偏光ビームスプリッタとを一体とし、コリメータレンズを外径を基準として回転させることで光の光束の反射角度をｙ軸方向に振り、受光スポットのｙ方向の位置調整をし、受光素子のピックアップの厚み方向の調整代を不要として超薄型のピックアップを構成している。【０００５】
【特許文献１】特開平１０−３６８３号公報（第４頁左欄−第５頁左欄、図１）
【特許文献２】特開平１０−１４３８９７号公報（第２頁右欄−第３頁右欄、図４，７）
【発明の開示】
【発明が解決しようとする課題】
【０００６】
しかしながら、上記特許文献１に記載のものでは、凸レンズ面および凹シリンドリカル面を有し、所定の位置に保持部材に結合する嵌合部を設けた特別な形状の光学素子を用いるため、光学素子の形成が困難で歩留まりも悪化するなどのおそれがある点が一例として挙げられる。さらには、光学素子と保持部材との嵌合のための構成も高精度に形成する必要もあり、製造性の向上やコストの低減が図れないおそれがある。また、特許文献２に記載のものでは、凹レンズまたはコリメータレンズと受光素子との双方の位置調整が必要で、製造が煩雑となる点が一例として挙げられる。【０００７】
本発明は、上述したような実情などに鑑みて、光学素子を適切に配設する保持装置、光ピックアップ、および、その製造方法を提供することを目的とする。
【課題を解決するための手段】
【０００８】
本発明は、筐体と、この筐体に配設され被照射物に照射する出射光を出射する光源と、前記被照射物で反射された前記出射光の少なくとも一部を受光して所定の信号を出力する受光手段と、周縁に少なくとも一平面を有し、前記被照射物から反射された前記出射光の少なくとも一部を前記受光手段に照射させるシリンドリカルレンズと、光軸方向、直交する２つの径方向および回転方向の４方向で位置調整された前記シリンドリカルレンズを前記筐体に固定する固定部材と、を具備したことを特徴とした光ピックアップである。【０００９】
本発明は、光源およびこの光源から出力され被照射物にて反射された出射光の少なくとも一部を受光手段に集光させるシリンドリカルレンズを備えた光ピックアップの製造方法であって、前記出射光を前記受光手段の位置で非点収差による略線状に集光する前記シリンドリカルレンズの２箇所の位置間に、前記シリンドリカルレンズが少なくとも位置する状態に前記シリンドリカルレンズの光軸方向、直交する２つの径方向および周方向の４方向で位置調整し、この位置調整した状態で前記シリンドリカルレンズを位置決め固定することを特徴とする光ピックアップの製造方法である。【００１０】
本発明は、筐体内に周縁に少なくとも一平面を有するシリンドリカルレンズを配設して光ピックアップを構成させる保持装置であって、前記シリンドリカルレンズの周縁の少なくとも一平面が臨む開口部を有し、前記シリンドリカルレンズの周縁を前記光軸方向に対して交差する方向で保持する保持部と、この保持部に設けられ前記シリンドリカルレンズの光軸方向の一端周縁が当接する当接面を有した当接部と、前記保持部の外面に設けられ支持装置が係脱可能に係合して保持される係合凹部と、前記保持部の軸方向の一端側に設けられ先端に被取付部に取り付けられる取付面を有した取付部と、を具備したことを特徴とした保持装置である。【００１１】
本発明は、前述した本発明の光ピックアップにおける前記シリンドリカルレンズを前記筐体内に配設または請求項５に記載の光ピックアップの製造方法における前記シリンドリカルレンズを位置決め固定する保持装置であって、前記シリンドリカルレンズの周縁の少なくとも一平面が臨む開口部を有し、前記シリンドリカルレンズの周縁を前記光軸方向に対して交差する方向で保持する保持部と、この保持部に設けられ前記シリンドリカルレンズの光軸方向の一端周縁が当接する当接面を有した当接部と、前記保持部の外面に設けられ支持装置が係脱可能に係合して保持される係合凹部と、前記保持部の軸方向の一端側に設けられ先端に被取付部に取り付けられる取付面を有した取付部と、を具備したことを特徴とした保持装置である。
【図面の簡単な説明】
【００１２】
【図１】本発明における一実施形態に係る光ピックアップの光路構成である光学的な概略構成を示す構成図である。
【図２】前記一実施形態における光ピックアップのシリンドリカルレンズの配設状況を説明するための説明図である。
【図３】前記一実施形態における光ピックアップにおけるシリンドリカルレンズ近傍を示す一部を切り欠いた斜視図である。
【図４】前記一実施形態におけるシリンドリカルレンズによる非点収差の状況を説明する説明図で、（Ａ）は出射光の集光状況を示す側面図で、（Ｂ）は出射光の集光状況を示す断面図である。
【図５】前記一実施の形態におけるレンズベースを示す側面図である。
【図６】前記一実施の形態におけるレンズベースを示す正面図である。
【図７】前記一実施の形態におけるレンズベースを示す背面図である。
【図８】前記一実施の形態におけるレンズベースを示す断面図である。
【符号の説明】
【００１３】
１０……被照射物としての光ディスク
３００……光ピックアップ
３１０……筐体としてのベース
３２０……光源である半導体レーザ
３４５……シリンドリカルレンズ
３５０……受光手段としての受光素子
３６０……固定部材を構成する保持装置としてのレンズベース
３６１……当接部
３６１Ｂ…当接面
３６２……保持部
３６２Ｂ…開口部
３６３……係合凹部としてのＶ溝部
３６４……取付部
３６４Ａ…脚部
３６４Ｂ…取付面
３７０……対物レンズ
【発明を実施するための最良の形態】
【００１４】
以下、本発明における一実施の形態を図面に基づいて説明する。本実施の形態では記録媒体として着脱可能なディスク状記録媒体である光ディスクに情報を記録および読み出すディスク装置用光ピックアップを例示して説明するが、情報の読み出しあるいは記録のみでもよい。また、ディスク状記録媒体としては、光ディスクに限らず、磁気ディスク、光磁気ディスクなどのいずれのディスク状記録媒体を対象とすることができる。さらに、例えば外周面に記録面を有した円筒状の記録媒体や一体的に配設された記録媒体など、いずれの記録媒体をも対象とすることができる。また、ディスク装置に限らず、カメラや顕微鏡など被照射物に光源からの出射光を照射するいずれの光学系機器を対象とすることができる。【００１５】
〔光ピックアップの構成〕
本実施の形態における光ピックアップとしては、光ディスクとしてＤＶＤ（Digital Versatile Disc）の情報処理が可能な構成を例示して説明するが、例えばＣＤ（Compact Disc）を対象としたり、双方の情報処理が可能な構成とするなど、上述したように、いずれの記録媒体の情報処理に応じた構成が適用できる。また、光源として、例えばＤＶＤ用レーザ光を出射光として出射する構成を例示するが、ＣＤ用レーザ光を出射する構成、さらには、ＣＤ用レーザ光およびＤＶＤ用レーザ光の２周波の出射光を出射可能な光源を用いた構成、さらに複数の波長の出射光を出射可能な構成などを利用することができる。【００１６】
図１および図２に示すように、例えば携帯型のパーソナルコンピュータなどの電気機器に装着されるいわゆるスリムディスクドライブと称されるディスク装置における光ピックアップ３００は、図２に一部を示すような筐体としてのベース３１０を備えている。このベース３１０には、図示しない光源保持部、台座部、取付壁部などが設けられている。そして、ベース３１０の光源保持部には、ＤＶＤ用の波長の光である出射光としてのＤＶＤ用レーザ光を出射する光源としての半導体レーザ３２０が配設されている。【００１７】
また、半導体レーザ３２０の出射側には、台座部に配設されたＤＶＤ用グレーティング３３１が配設されている。このＤＶＤ用グレーティング３３１は、図示しない取付ベースに一体的に取り付けられ取付部材にて台座部に配設されている。【００１８】
さらに、ベース３１０には、半導体レーザ３２０の光軸上に位置して、半透過ミラー３４１が配設されている。この半透過ミラー３４１は、ＤＶＤ用レーザ光を反射するとともに、反射方向から入射されるＤＶＤ用レーザ光を透過する。さらに、ベース３１０には、半透過ミラー３４１にて反射したＤＶＤ用レーザ光を反射するミラー３４２が配設されている。また、ベース３１０には、ミラー３４２にて反射したＤＶＤ用レーザ光の径や広がり角を調整するコリメータレンズ３４３が配設されている。そして、このコリメータレンズ３４３に隣接して、径や広がり角が調整されたＤＶＤ用レーザ光が透過する波長板３４４や図示しない波面収差を低減するための液晶パネルなどが配設されている。【００１９】
また、ベース３１０には、図１ないし図３に示すように、半透過ミラー３４１にて透過されたＤＶＤ用レーザ光を受光して所定の信号を出力する受光手段としての受光素子３５０が配設されている。また、半透過ミラー３４１と受光素子３５０との間には、シリンドリカルレンズ３４５が配設されている。このシリンドリカルレンズ３４５は、図４に示すように、ＤＶＤ用レーザ光を受光素子３５０の受光面の位置で非点収差による略線状に集光する位置関係Ａ，Ｂが２箇所あるとともに、この線状の集光位置の間に略円形に集光する位置関係Ｃがある。なお、シリンドリカルレンズ３４５は、周縁に径方向に略対向する図示しない一対の平面部を有している。そして、このシリンドリカルレンズ３４５は、図５ないし図８に示す固定部材を構成する保持装置としてのレンズベース３６０にてベース３１０に位置決め固定される。【００２０】
このシリンドリカルレンズ３４５を配設するレンズベース３６０は、例えば合成樹脂などにて形成され、矩形状の当接部３６１を有している。この当接部３６１の略中央には、略扁平円形状の貫通孔３６１Ａが設けられ、一面側はシリンドリカルレンズ３４５の光軸方向の一端周縁が当接される当接面３６１Ｂとなっている。【００２１】
そして、当接部３６１の長手方向の両端部には、当接面３６１Ｂ側に向けて同方向に一連に突出する一対の保持部３６２を有している。これら保持部３６２には、対向する面に略曲面凹状の保持凹部３６２Ａがそれぞれ設けられている。これら対向する保持凹部３６２Ａにて、保持部３６２はシリンドリカルレンズ３４５の径寸法と略同寸法の円筒状の内周面を構成する。そして、一対の保持部３６２の両側間には、保持部３６２に保持されるシリンドリカルレンズ３４５の周面の一部、すなわち平面部が臨む状態に開口部３６２Ｂが開口形成される。【００２２】
また、保持部３６２の外面には、開口部３６２Ｂの開口面の対向方向に溝状で保持部３６２の対向方向で外方に向けて拡開する係合凹部としてのＶ字状のＶ溝部３６３が設けられている。このＶ溝部３６３は図示しないチャック機構を有する支持装置にてチャック機構が係脱可能に係合され、レンズベース３６０が支持装置に支持可能となっている。【００２３】
さらに、当接部３６１の長手方向の両端部には、保持部３６２が突出する側と反対側に一連に突出する一対の脚部３６４Ａにて構成される取付部３６４が設けられている。この取付部３６４は、一対の脚部３６４Ａが対向方向と反対側にそれぞれ突出する状態に形成されている。そして、脚部３６４Ａの先端は、さらに対向方向と反対側に折曲する状態に設けられ、外面側に取付壁部に接着剤３１２などにて取り付けられる取付面３６４Ｂがそれぞれ設けられている。これら取付面３６４Ｂは、これら取付面３６４Ｂにて一平面が構成されている。【００２４】
そして、シリンドリカルレンズ３４５は、レンズベース３６０の保持部３６２間に光軸方向の一端周縁が当接面３６１Ｂに当接するまで嵌合され、シリンドリカルレンズ３４５の光軸方向に対して直交する径方向で挾持される状態、すなわちシリンドリカルレンズ３４５の光軸方向が貫通孔３６１Ａの中心軸に対して略同軸上となる状態に保持されている。このシリンドリカルレンズ３４５を保持するレンズベース３６０が、図２に示すように、光軸方向Ｚ、シリンドリカルレンズ３４５における直交する径方向Ｘ，Ｙ、および周方向である回転方向Ｒで適宜調整され、図３に示すように、この位置調整された状態で取付部３６４にてベース３１０に接着剤３１２などにて取り付けられて固定される。【００２５】
また、光ピックアップ３００には、図示しない対物レンズベースに保持された対物レンズ３７０を備えている。この対物レンズ３７０は、ミラー３４２にて反射されたＤＶＤ用レーザ光の光軸に沿った方向および光軸に対して直交するトラッキング方向であるラジアル方向に移動可能に配設される。この対物レンズ３７０の移動は、ベース３１０および対物レンズベースに取り付けられた図示しない磁性体やマグネット、コイルなどを備えた移動手段により移動される。そして、対物レンズ３７０が移動されていない通常状態で、シリンドリカルレンズ３４５による受光素子３５０の受光面における集光が略円形となる位置関係Ｃで、かつ受光面において２方向の線状に集光される状態を検知可能に、図２に示すように適宜調整され、シリンドリカルレンズ３４５がレンズベース３６０によりベース３１０に取付固定されて配設されている。【００２６】
その他、光ピックアップ３００には、ＤＶＤ用レーザ光の一部を受光して受光量を検出し、半導体レーザ３２０の出力を調整させるフロントモニタ用受光素子や、図２に示すような受光素子３５０に集光させるコリメータレンズ３４６、各種ミラーなどの光学素子なども配設されている。【００２７】
〔光ピックアップの組立動作〕
次に、上記光ピックアップ３００の組立動作について説明する。【００２８】
あらかじめ所定の形状に形成されたベース３１０に、半導体レーザ３２０や受光素子３５０、フロントモニタ用受光素子などの電気部品を配設する。さらに、ＤＶＤ用グレーティング３３１を取り付けた取付ベースを取付部材にて取り付けるとともに、半透過ミラー３４１やミラー３４２、コリメータレンズ３４３や波長板３４４などの各種光学素子を配設する。この後、対物レンズ３７０を取り付けた対物レンズベースとともに移動手段を配設する【００２９】
さらに、シリンドリカルレンズ３４５を装着したレンズベース３６０を支持装置に支持させ、所定の位置に配設する。この支持装置に支持した状態で、支持装置は、開口部３６２Ｂに臨むシリンドリカルレンズ３４５の一平面を認識し、シリンドリカルレンズ３４５の姿勢を認識する。このレンズベース３６０の配設の際、受光素子３５０の受光面で受光するＤＶＤ用レーザ光が図４に示すような略円形に集光する位置関係Ｃとなる状態に、支持装置にてレンズベース３６０を光軸方向Ｚおよび径方向Ｘ，Ｙで移動させる。さらに、非点収差による略線状に集光された状態を受光素子３５０にて検出可能に回転方向Ｒで回転させ、位置調整する。そして、この位置調整した状態で取付部３６４の取付面３６４Ｂを接着剤３１２などにてベース３１０の取付壁部に接着固定し、シリンドリカルレンズ３４５をレンズベース３６０にてベース３１０に配設する。【００３０】
そして、取付部材にて取り付けた取付ベースを周方向で回転させて、通過するＤＶＤ用レーザ光の回折状態を適宜設定し、光ピックアップ３００を組立成形する。【００３１】
〔光ピックアップにおける作用効果〕
上述したように、上記一実施の形態では、半導体レーザ３２０から出射されるＤＶＤ用レーザ光を、受光素子３５０の受光面の位置で非点収差による略線状に集光するシリンドリカルレンズ３４５の２箇所の位置関係Ａ，Ｂ間に、シリンドリカルレンズ３４５が位置する状態に、光軸方向Ｚ、直交する２つの径方向Ｘ，Ｙおよび回転方向Ｒで位置調整して位置決め固定する。このため、小型化の設計が受光素子３５０より容易なシリンドリカルレンズ３４５を４方向で移動させ、適切な集光状態が得られるように位置調整しているので、受光素子３５０を位置調整する必要がなく、受光素子３５０を配置可能な寸法まで光ピックアップ３００を小型化できる。したがって、例えば携帯型のパーソナルコンピュータなどに利用されるディスク装置のさらなる薄型も容易にできる。【００３２】
さらには、４方向で位置調整、すなわち回転方向Ｒでも位置調整している。このため、非点収差のレンズ回転方向ズレによるサーボ信号の漏れ込みノイズをも低減でき、高精度に調整できる。【００３３】
また、各電気部品や各光学素子を配置した後に、シリンドリカルレンズ３４５の位置調整を実施している。このため、最終的な位置調整がシリンドリカルレンズ３４５の１箇所となり、高精度な調整ができ、部品の相対位置ズレが生じにくく、信頼性も向上できる。【００３４】
さらに、シリンドリカルレンズ３４５をレンズベース３６０に装着し、支持装置にて位置調整する構成としている。このため、シリンドリカルレンズ３４５がベース３１０に対して空中で位置調整される状態となり、容易に４方向の位置調整ができ、高精度な調整が容易にできる。また、空中で位置調整する状態であるため、例えばベース３１０にシリンドリカルレンズ３４５の位置調整のために摺動させてガイドさせる摺動面などを設ける必要もなく、構成の簡略化が得られるとともに、摺動移動時における振動や引っ掛かりなどもなく、安定した位置調整ができる。さらには、空中で位置調整する状態であるため、シリンドリカルレンズ３４５の主面が透過するＤＶＤ用レーザ光の波面に対して傾斜する方向にも調整可能となり、例えば波面収差を低減できるなど、より高精度な調整ができる。さらに、空中で位置調整する状態としているため、レンズベース３６０に嵌合保持する構成やレンズベース３６０をベース３１０に取り付ける構成で多少の公差が生じていても適切に位置調整されるので、シリンドリカルレンズ３４５やレンズベース３６０の寸法公差を拡大でき、製造性の向上や歩留まりの向上によるコストの低減なども容易に得られる。【００３５】
また、このシリンドリカルレンズ３４５の配設は、図５ないし図８に示すレンズベース３６０を用いている。すなわち、シリンドリカルレンズ３４５の光軸方向の一端周縁が当接する当接面３６１Ｂを有した当接部３６１に、シリンドリカルレンズ３４５の周縁の少なくとも一面が臨む開口部３６２Ｂを有しシリンドリカルレンズ３４５の周縁を光軸方向に対して直交する径方向で保持する一対の保持部３６２を設けるとともに、保持部３６２と反対側にベース３１０に取り付けられる取付面３６４Ｂを有した取付部３６４を設ける。そして、保持部３６２の外面に支持装置が係脱可能に係合して保持されるＶ溝部３６３を設けている。このため、レンズベース３６０の開口部３６２Ｂが設けられた方向である幅寸法を最小限に設定でき、この方向を例えば薄型のために光ピックアップ３００の寸法規制がある例えば径方向Ｙとすることで、光ピックアップ３００を容易に小型化できる。【００３６】
そして、保持部３６２をシリンドリカルレンズ３４５を径方向で挾持する状態に一対の構成としている。このため、一対の保持部３６２の対向方向と直交する方向に一対の開口部３６２Ｂが構成され、この方向での幅寸法を容易に短縮化でき、簡単な構造で容易に小型化が図れる。また、開口部３６２Ｂによりシリンドリカルレンズ３４５の一平面が臨む状態とすることで、この方向でのさらなる幅寸法の短縮化が容易にできるとともに、支持装置に一平面に当接する位置決め部などを設けることで、容易に支持した状態でのシリンドリカルレンズ３４５の姿勢をも容易に認識でき、さらに位置調整が容易にできる。【００３７】
さらに、一対の保持部３６２の対向面にシリンドリカルレンズ３４５を嵌挿保持するための曲面凹状の保持凹部３６２Ａを設けて略円筒状の内周面が構成される形状に形成している。このため、幅寸法を大型化することなく簡単な構造でシリンドリカルレンズ３４５を安定して保持できる。【００３８】
また、シリンドリカルレンズ３４５の軸方向の一端周縁が当接する当接面３６１Ｂを有した当接部３６１として、略中央に貫通孔３６１Ａを有し保持部３６２の内周面である対向面に突出する状態に設けている。このため、幅寸法を大型化することなくシリンドリカルレンズ３４５の集光状態を阻害せずに位置決め保持できる構成が容易に得られる。【００３９】
さらに、当接部３６１に対して保持部３６２と反対側に、先端にベース３１０に取り付けられる取付面３６４Ｂを有した一対の脚部３６４Ａを開口部３６２Ｂの開口面に略平行な方向で突設、すなわち保持部３６２の対向方向で対向する状態に突設している。このため、ベース３１０に取り付けるための構成が幅寸法で大型化することなく容易に得られる。【００４０】
そして、これら脚部３６４Ａの先端が互いに反対方向に向けて突出する状態に設けている。このため、ベース３１０に取り付ける間隔が広くなり、例えば接着剤による接着の際の接着剤の変化による位置ずれが生じにくくなり、位置調整した状態で確実に取り付けることが簡単な構成で容易に得られる。さらに、脚部３６４Ａの先端部を対向方向と反対側に折曲する状態に設け、外面側に取付面３６４Ｂを設けている。このため、幅方向の寸法を大型化することなく、簡単な構造で容易に取付面積を拡大でき、十分な接着力が得られ、確実な位置決め固定ができる。【００４１】
また、脚部３６４Ａの取付面３６４Ｂを当接面３６１Ｂに対して略平行で、かつ一対の取付面３６４Ｂが一平面上に構成される状態に形成している。このため、シリンドリカルレンズ３４５の取付状態での姿勢を簡単な構成で容易に認識できる。【００４２】
さらに、脚部３６４Ａを先端に向けて次第に幅狭に形成している。このため、回転方向Ｒで位置調整する場合に、脚部３６４Ａの先端が径方向Ｙで突出する状態となることを防止でき、簡単な構成で確実に小型化できる。【００４３】
そして、支持装置に係合されて保持されるＶ溝部３６３を幅方向に溝状で保持部３６２の対向方向の外側に向けて拡開するＶ字状としている。このため、支持装置に支持された状態で、簡単な構成でレンズベース３６０が確実に位置決め支持され、確実に位置調整できる。【００４４】
〔実施形態の変形〕
なお、本発明は、上述した各実施の形態に限定されるものではなく、本発明の目的を達成できる範囲で以下に示される変形をも含むものである。【００４５】
すなわち、光ディスク１０を対象とした情報処理を実施するディスク装置に用いられる光ピックアップ３００について例示したが、上述したように、ディスク装置に限らず、いずれの記録媒体の情報を処理する光ピックアップ、さらには情報処理を実施する機器に限らず、被照射物に光源からの出射光を照射するカメラや望遠鏡などのいずれの光学系機器にも適用できる。【００４６】
そして、光源として、ＤＶＤ用レーザ光を出射するＤＶＤ用の半導体レーザ３２０を用いて説明したが、上述したように、ＣＤ用レーザ光を出射するＣＤ用の半導体レーザを用いるなど、他の波長の光を出射するものや、ＣＤ用レーザ光およびＤＶＤ用レーザ光の２つの波長の光を出射する１つの半導体レーザを用いたり、２つの波長の光に限らず、さらに他の波長の光を出射可能な半導体レーザを用いたりすることもできる。また、半導体レーザに限らず、他のいずれの光源をも利用できる。【００４７】
そして、シリンドリカルレンズ３４５をレンズベース３６０に保持してベース３１０に位置決め固定して説明したが、レンズベース３６０を用いず、支持装置にて位置調整した状態でベース３１０に直接接着固定するなどしてもよい。また、レンズベース３６０を金属製として金属製のベース３１０に半田付けなどにより接着するなど、いずれの方法で接着してもよい。さらには、接着のみに限らず、光軸方向の主面を除く状態で樹脂中に埋設して配設するなどしてもよい。なお、半田付けとすることで、温度や湿度の変化に対する変形量を減少でき、より安定した特性が容易に得られる。【００４８】
また、レンズベース３６０としては、上述した構成に限られない。例えば保持部３６２として一対で構成したが、例えば略円筒形状とするなどしてもよい。さらには、保持部３６２に保持凹部３６２Ａを設けて説明したが、径方向で少なくとも異なる２方向で挾持する状態に保持するいずれの構成、例えば矩形状の凹部や保持部３６２の対向面に対向方向に向けて突出する２つの爪部などを設けるなどしてもよい。そして、取付部３６４として一対の脚部３６４Ａを有した構成に限らず、ベース３１０に取付可能ないずれの形状、例えば当接部３６１の当接面３６１Ｂと反対側の面を取付面３６４Ｂとした取付部３６４としてもよい。なお、脚部３６４Ａが突出する構成としているため、仮に接着剤が取付面３６４Ｂからはみ出しても光路上に接着剤が進出することを防止でき、簡単な取付作業でも光特性が損なわれず、安定した特性が容易に得られる。さらには、係合凹部としてＶ溝状に限らす、例えば円錐形の凹部とするなど、いずれの形状とすることができる。【００４９】
そして、シリンドリカルレンズ３４５とレンズベース３６０とを一体に形成したものを取り付けてもよい。この場合には、部品点数を減少でき、例えばシリンドリカルレンズ３４５をレンズベース３６０に装着する作業が不要となるなど、組立製造性を向上できる。さらにはシリンドリカルレンズ３４５にＶ溝部３６３や取付部３６４が一体に設けられる構成となることから、保持部３６２が不要となり、さらなる小型化が容易に図れる。【００５０】
また、シリンドリカルレンズ３４５として対向する一対の平面を有した構成を例示したが、少なくとも一平面を有していればよい。すなわち、一平面でも径方向の寸法の短縮化ができ、小型化が容易に図れる。なお、上述したように、一対設けることでより小型化が容易に図れる。さらには、他の部分は周縁の状態とすることで保持の際に嵌合させるなど簡単な構成で保持でき、好ましい。【００５１】
その他、本発明の実施の際の具体的な構造および手順は、本発明の目的を達成できる範囲で他の構造などに適宜変更できる。【００５２】
〔実施形態の効果〕
上述したように、半導体レーザ３２０からのＤＶＤ用レーザ光を、受光素子３５０の受光面の位置で非点収差による略線状に集光するシリンドリカルレンズ３４５の２箇所の位置関係Ａ，Ｂ間に、シリンドリカルレンズ３４５が位置する状態に、光軸方向Ｚ、直交する２つの径方向Ｘ，Ｙおよび回転方向Ｒで位置調整して位置決め固定する。このため、小型化の設計が受光素子３５０より容易なシリンドリカルレンズ３４５を４方向で移動させ、適切な集光状態が得られるように位置調整しているので、受光素子３５０を位置調整する必要がなく、受光素子３５０を配置可能な寸法まで光ピックアップ３００を小型化できる。【００５３】
また、シリンドリカルレンズ３４５の周縁の少なくとも位置平面が臨む開口部３６２Ｂを有しシリンドリカルレンズ３４５の周縁を光軸方向に対して交差する方向で保持する保持部３６２と、シリンドリカルレンズ３４５の光軸方向の一端周縁が当接する当接面３６１Ｂを有した当接部３６１と、保持部３６２の外面に設けられ支持装置が係脱可能に係合して保持されるＶ溝部３６３と、ベース３１０に取り付けられる取付面３６４Ｂを先端に設けた取付部３６４を有したレンズベース３６０を用いる。このため、支持装置にてシリンドリカルレンズ３４５を所定の姿勢で配設することが容易となり、例えばシリンドリカルレンズ３４５の光軸方向、直交する２つの径方向、回転方向など、複数の方向で位置調整させるなどが容易にでき、シリンドリカルレンズ３４５を簡単な構成で容易に配置できる。
【産業上の利用可能性】
【００５４】
本発明は、光学素子を備えた光ピックアップおよびその製造方法ならびに保持装置として利用でき、光ディスクなどのディスク状記録媒体を処理するディスク装置などに利用できる。
【図１】
2005093730.tif 000003
【図２】
2005093730.tif 000004
【図３】
2005093730.tif 000005
【図４】
2005093730.tif 000006
【図５】
2005093730.tif 000007
【図６】
2005093730.tif 000008
【図７】
2005093730.tif 000009
【図８】
2005093730.tif 000010
【手続補正書】
【提出日】平成17年12月26日(2005.12.26)
【手続補正１】
【補正対象書類名】特許請求の範囲
【補正対象項目名】全文
【補正方法】変更
【補正の内容】
【書類名】請求の範囲
【請求項１】筐体と、
この筐体に配設され被照射物に照射する出射光を出射する光源と、
前記被照射物で反射された前記出射光の少なくとも一部を受光して所定の信号を出力する受光手段と、
周縁に少なくとも一平面を有し、前記被照射物から反射された前記出射光の少なくとも一部を前記受光手段に照射させるシリンドリカルレンズと、
前記シリンドリカルレンズを保持し、前記出射光を前記受光手段の位置で非点収差による略線状に集光する前記シリンドリカルレンズの２箇所の位置間に、前記シリンドリカルレンズが少なくとも位置する状態に前記シリンドリカルレンズの光軸方向、直交する２つの径方向および回転方向の４方向で位置調整されて前記筐体に固定される固定部材と、
を具備したことを特徴とした光ピックアップ。
【請求項２】（削除）
【請求項３】請求項１に記載の光ピックアップであって、
前記固定部材は、支持装置にて前記シリンドリカルレンズを位置調整した状態で前記筐体に接着固定され、前記支持装置の保持が解除されて配設された
ことを特徴とした光ピックアップ。
【請求項４】請求項１ないし請求項３のいずれかに記載の光ピックアップであって、
前記シリンドリカルレンズは、径方向で対応する一対の平面を有した
ことを特徴とした光ピックアップ。
【請求項５】筐体と、光源およびこの光源から出力され被照射物にて反射された出射光の少なくとも一部を受光手段に集光させるシリンドリカルレンズと、前記シリンドリカルレンズを保持し前記筐体に固定される固定部材とを備えた光ピックアップの支持装置を用いた製造方法であって、
前記固定部材を前記支持装置に支持した状態で、前記出射光を前記受光手段の位置で非点収差による略線状に集光する前記シリンドリカルレンズの２箇所の位置間に、
前記シリンドリカルレンズが少なくとも位置する状態に前記シリンドリカルレンズの光軸方向、直交する２つの径方向および周方向の４方向で前記固定部材を位置調整し、
この位置調整した状態で前記固定部材を前記筐体に固定して前記シリンドリカルレンズを位置決め固定する
ことを特徴とする光ピックアップの製造方法。
【請求項６】筐体内に周縁に少なくとも一平面を有するシリンドリカルレンズを配設して光ピックアップを構成させる保持装置であって、
前記シリンドリカルレンズの周縁の少なくとも一平面が臨む開口部を有し、前記シリンドリカルレンズの周縁を前記光軸方向に対して交差する方向で保持する保持部と、
この保持部に設けられ前記シリンドリカルレンズの光軸方向の一端周縁が当接する当接面を有した当接部と、
前記保持部の外面に設けられ支持装置が係脱可能に係合して前記保持装置を前記支持装置に支持させる係合凹部と、
前記保持部の軸方向の一端側に設けられ先端に被取付部に取り付けられる取付面を有した取付部と、
を具備したことを特徴とした保持装置。
【請求項７】請求項１ないし請求項４のいずれかに記載の光ピックアップにおける前記シリンドリカルレンズを前記筐体内に配設または請求項５に記載の光ピックアップの製造方法における前記シリンドリカルレンズを位置決め固定する保持装置であって、
前記シリンドリカルレンズの周縁の少なくとも一平面が臨む開口部を有し、前記シリンドリカルレンズの周縁を前記光軸方向に対して交差する方向で保持する保持部と、
この保持部に設けられ前記シリンドリカルレンズの光軸方向の一端周縁が当接する当接面を有した当接部と、
前記保持部の外面に設けられ支持装置が係脱可能に係合して前記保持装置を前記支持装置に支持させる係合凹部と、
前記保持部の軸方向の一端側に設けられ先端に被取付部に取り付けられる取付面を有した取付部と、
を具備したことを特徴とした保持装置。
【請求項８】請求項６または請求項７に記載の保持装置であって、
前記保持部は、中心軸に前記シリンドリカルレンズの光軸方向が略位置する状態に嵌挿される略円筒状に形成された
ことを特徴とした保持装置。
【請求項９】請求項６ないし請求項８のいずれかに記載の保持装置であって、
前記係合凹部は、前記開口部にて開口される開口面に対して略直交する方向に略Ｖ溝状に形成された
ことを特徴とした保持装置。
【請求項１０】請求項６ないし請求項９のいずれかに記載の保持装置であって、
前記開口部は、前記支持装置が前記保持されるシリンドリカルレンズの一平面の平面方向を認識可能とする形状に形成された
ことを特徴とした保持装置。
【請求項１１】請求項６ないし請求項１０のいずれかに記載の保持装置であって、
前記脚部は、前記保持されるシリンドリカルレンズの円周方向に対応する方向における幅寸法が先端に向けて次第に小さくなる形状に形成された
ことを特徴とした保持装置。
【手続補正２】
【補正対象書類名】明細書
【補正対象項目名】０００２
【補正方法】変更
【補正の内容】
【０００２】
［０００５］【特許文献１】特開平１０−３６８３号公報（第４頁左欄−第５頁左欄、図１）
【特許文献２】特開平１０−１４３８９７号公報（第２頁左欄−第３頁左欄、図４，７）
【発明の開示】
【発明が解決しようとする課題】
［０００６］  しかしながら、上記特許文献１に記載のものでは、凸レンズ面および凹シリンドリカル面を有し、所定の位置に保持部材に結合する嵌合部を設けた特別な形状の光学素子を用いるため、光学素子の形成が困難で歩留まりも悪化するなどのおそれがある点が一例として挙げられる。さらには、光学素子と保持部材との嵌合のための構成も高精度に形成する必要もあり、製造性の向上やコストの低減が図れないおそれがある。また、特許文献２に記載のものでは、凹レンズまたはコリメータレンズと受光素子との双方の位置調整が必要で、製造が煩雑となる点が一例として挙げられる。
［０００７］  本発明は、上述したような実情などに鑑みて、光学素子を適切に配設する保持装置、光ピックアップ、および、その製造方法を提供することを目的とする。
【課題を解決するための手段】
［０００８］  本発明は、筐体と、この筐体に配設され被照射物に照射する出射光を出射する光源と、前記被照射物で反射された前記出射光の少なくとも一部を受光して所定の信号を出力する受光手段と、周縁に少なくとも一平面を有し、前記被照射物から反射された前記出射光の少なくとも一部を前記受光手段に照射させるシリンドリカルレンズと、前記シリンドリカルレンズを保持し、前記出射光を前記受光手段の位置で非点収差による略線状に集光する前記シリンドリカルレンズの２箇所の位置間に、前記シリンドリカルレンズが少なくとも位置する状態に前記シリンドリカルレンズの光軸方向、直交する２つの径方向および回転方向の４方向で位置調整されて前記筐体に固定される固定部材と、を具備したことを特徴とした光ピックアップである。
［０００９］  本発明は、筐体と、光源およびこの光源から出力され被照射物にて反射された出射光の少なくとも一部を受光手段に集光させるシリンドリカルレンズと、前記シリンドリカルレンズを保持し前記筐体に固定される固定部材とを備えた光ピックアップの支持装置を用いた製造方法であって、前記固定部材を前記支持装置に支持した状態で、前記出射光を前記受光手段の位置で非点収差による路線状に集光する前記シリンドリ
２
【手続補正３】
【補正対象書類名】明細書
【補正対象項目名】０００３
【補正方法】変更
【補正の内容】
【０００３】
カルレンズの２箇所の位置間に、前記シリンドリカルレンズが少なくとも位置する状態に前記シリンドリカルレンズの光軸方向、直交する２つの径方向および周方向の４方向で前記固定部材を位置調整し、この位置調整した状態で前記固定部材を前記筐体に固定して前記シリンドリカルレンズを位置決め固定することを特徴とする光ピックアップの製造方法である。
［００１０］  本発明は、筐体内に周縁に少なくとも一平面を有するシリンドリカルレンズを配設して光ピックアップを構成させる保持装置であって、前記シリンドリカルレンズの周縁の少なくとも一平面が臨む開口部を有し、前記シリンドリカルレンズの周縁を前記光軸方向に対して交差する方向で保持する保持部と、この保持部に設けられ前記シリンドリカルレンズの光軸方向の一端周縁が当接する当接面を有した当接部と、前記保持部の外面に設けられ支持装置が係脱可能に係合して前記保持装置を前記支持装置に支持させる係合凹部と、前記保持部の軸方向の一端側に設けられ先端に被取付部に取り付けられる取付面を有した取付部と、を具備したことを特徴とした保持装置である。
［００１１］  本発明は、前述した本発明の光ピックアップにおける前記シリンドリカルレンズを前記筐体内に配設または請求項５に記載の光ピックアップの製造方法における前記シリンドリカルレンズを位置決め固定する保持装置であって、前記シリンドリカルレンズの周縁の少なくとも一平面が臨む開口部を有し、前記シリンドリカルレンズの周縁を前記光軸方向に対して交差する方向で保持する保持部と、この保持部に設けられ前記シリンドリカルレンズの光軸方向の一端周縁が当接する当接面を有した当接部と、前記保持部の外面に設けられ支持装置が係脱可能に係合して前記保持装置を前記支持装置に支持させる係合凹部と、前記保持部の軸方向の一端側に設けられ先端に被取付部に取り付けられる取付面を有した取付部と、を具備したことを特徴とした保持装置である。
【図面の簡単な説明】
［００１２］［図１］本発明における一実施形態に係る光ピックアップの光路構成である光学的な概略構成を示す構成図である。
［図２］前記一実施形態における光ピックアップのシリンドリカルレンズの配設状況を説明するための説明図である。
［図３］前記一実施形態における光ピックアップにおけるシリンドリカルレンズ近傍を示す一部を切り欠いた斜視図である。
［図４］前記一実施形態におけるシリンドリカルレンズによる非点収差の状況を説明する説明図で、（Ａ）は出射光の集光状況を示す側面図で、（Ｂ）は出射光の集光状況を示す断面図である。
［図５］前記一実施の形態におけるレンズベースを示す側面図である。
３／１
【手続補正書】
【提出日】平成18年9月30日(2006.9.30)
【手続補正１】
【補正対象書類名】特許請求の範囲
【補正対象項目名】全文
【補正方法】変更
【補正の内容】
【特許請求の範囲】
【請求項１】
光ピックアップ用に所定の形状に形成されたベースと、光源およびこの光源から出力され被照射物にて反射された出射光の少なくとも一部を受光素子に集光させるシリンドリカルレンズと、前記シリンドリカルレンズを保持し前記ベースに固定されるレンズベースとを備えた光ピックアップの支持装置を用いた製造方法であって、
前記シリンドリカルレンズを保持した前記レンズベースを前記支持装置に支持させ、前記レンズベースを所定の位置に配置し、
前記受光素子で受光する前記出射光が、略円状に集光するように前記レンズベースを前記シリンドリカルレンズの光軸方向および前記シリンドリカルレンズの光軸に直交する２つの径方向で移動させ、
非点収差による略線状に集光された状態を前記受光素子にて検出可能になるように前記レンズベースを回転方向で回転させ、  前記レンズベースを前記ベースに接着固定して前記シリンドリカルレンズを位置決め固定する
ことを特徴とする光ピックアップの製造方法。
【手続補正２】
【補正対象書類名】明細書
【補正対象項目名】全文
【補正方法】変更
【補正の内容】
【発明の詳細な説明】
【技術分野】
【０００１】
本発明は、光学素子を備えた光ピックアップおよびその製造方法ならびに保持装置に関する。
【背景技術】
【０００２】
従来、記録面に記録された情報を読み取ったり、記録面に各種情報を記録したりする情報処理装置として、光ピックアップにより光ディスクなどのディスク状記録媒体を処理するディスク装置が知られている。このディスク装置の光ピックアップは、適切に情報処理するために各種光学素子が高精度に組み合わせて構成されている。この光ピックアップを良好に組立形成するための各種構成が知られている（例えば、特許文献１または特許文献２参照）。
【０００３】
特許文献１に記載のものは、凸レンズ面と凹シリンドリカルレンズ面を有する略円柱状単レンズの光学素子を用いる。この光学素子にシリンドリカル軸に対して４５°傾斜する位置に設けた嵌合部と、保持部材の略凸形状部分とをはめ合わせて結合する。保持部材の基準面を光学ハウジングの基準面に固定し、光学素子により発生する非点収差の方向と光軸方向の位置決めをし、非点収差の方向および光軸方向の位置決めを専用調整装置なしに実施可能で調整工程が不要となる構成が採られている。
【０００４】
特許文献２に記載のものは、光ピックアップを構成し受光素子より小型化が容易な凹レンズを凹レンズベースに装着し、凹レンズベースにピックアップの厚さ方向となるｙ方向と直交する溝を設ける。偏心カムにてベース溝を支点とし、ハウジングのｙ方向の基準面に沿ってｙ方向で調整する。受光素子は、ｘ方向のみ十分な調整スペースを確保しておいて調整し、受光素子のピックアップの厚み方向の調整代を不要として超薄型のピックアップを構成している。また、コリメータレンズと偏光ビームスプリッタとを一体とし、コリメータレンズを外径を基準として回転させることで光の光束の反射角度をｙ軸方向に振り、受光スポットのｙ方向の位置調整をし、受光素子のピックアップの厚み方向の調整代を不要として超薄型のピックアップを構成している。
【０００５】
【特許文献１】特開平１０−３６８３号公報（第４頁左欄−第５頁左欄、図１）
【特許文献２】特開平１０−１４３８９７号公報（第２頁右欄−第３頁右欄、図４，７）
【発明の開示】
【発明が解決しようとする課題】
【０００６】
しかしながら、上記特許文献１に記載のものでは、凸レンズ面および凹シリンドリカル面を有し、所定の位置に保持部材に結合する嵌合部を設けた特別な形状の光学素子を用いるため、光学素子の形成が困難で歩留まりも悪化するなどのおそれがある点が一例として挙げられる。さらには、光学素子と保持部材との嵌合のための構成も高精度に形成する必要もあり、製造性の向上やコストの低減が図れないおそれがある。また、特許文献２に記載のものでは、凹レンズまたはコリメータレンズと受光素子との双方の位置調整が必要で、製造が煩雑となる点が一例として挙げられる。
【０００７】
本発明は、上述したような実情などに鑑みて、光学素子を適切に配設する保持装置、光ピックアップ、および、その製造方法を提供することを目的とする。
【課題を解決するための手段】
【０００８】
本発明は、光ピックアップ用に所定の形状に形成されたベースと、光源およびこの光源から出力され被照射物にて反射された出射光の少なくとも一部を受光素子に集光させるシリンドリカルレンズと、前記シリンドリカルレンズを保持し前記ベースに固定されるレンズベースとを備えた光ピックアップの支持装置を用いた製造方法であって、前記シリンドリカルレンズを保持した前記レンズベースを前記支持装置に支持させ、前記レンズベースを所定の位置に配置し、前記受光素子で受光する前記出射光が、略円状に集光するように前記レンズベースを前記シリンドリカルレンズの光軸方向および前記シリンドリカルレンズの光軸に直交する２つの径方向で移動させ、非点収差による略線状に集光された状態を前記受光素子にて検出可能になるように前記レンズベースを回転方向で回転させ、前記レンズベースを前記ベースに接着固定して前記シリンドリカルレンズを位置決め固定することを特徴とする光ピックアップの製造方法である。
【発明を実施するための最良の形態】
【０００９】
以下、本発明における一実施の形態を図面に基づいて説明する。本実施の形態では記録媒体として着脱可能なディスク状記録媒体である光ディスクに情報を記録および読み出すディスク装置用光ピックアップを例示して説明するが、情報の読み出しあるいは記録のみでもよい。また、ディスク状記録媒体としては、光ディスクに限らず、磁気ディスク、光磁気ディスクなどのいずれのディスク状記録媒体を対象とすることができる。さらに、例えば外周面に記録面を有した円筒状の記録媒体や一体的に配設された記録媒体など、いずれの記録媒体をも対象とすることができる。また、ディスク装置に限らず、カメラや顕微鏡など被照射物に光源からの出射光を照射するいずれの光学系機器を対象とすることができる。
【００１０】
〔光ピックアップの構成〕
本実施の形態における光ピックアップとしては、光ディスクとしてＤＶＤ（Digital Versatile Disc）の情報処理が可能な構成を例示して説明するが、例えばＣＤ（Compact Disc）を対象としたり、双方の情報処理が可能な構成とするなど、上述したように、いずれの記録媒体の情報処理に応じた構成が適用できる。また、光源として、例えばＤＶＤ用レーザ光を出射光として出射する構成を例示するが、ＣＤ用レーザ光を出射する構成、さらには、ＣＤ用レーザ光およびＤＶＤ用レーザ光の２周波の出射光を出射可能な光源を用いた構成、さらに複数の波長の出射光を出射可能な構成などを利用することができる。
【００１１】
図１および図２に示すように、例えば携帯型のパーソナルコンピュータなどの電気機器に装着されるいわゆるスリムディスクドライブと称されるディスク装置における光ピックアップ３００は、図２に一部を示すような筐体としてのベース３１０を備えている。このベース３１０には、図示しない光源保持部、台座部、取付壁部などが設けられている。そして、ベース３１０の光源保持部には、ＤＶＤ用の波長の光である出射光としてのＤＶＤ用レーザ光を出射する光源としての半導体レーザ３２０が配設されている。
【００１２】
また、半導体レーザ３２０の出射側には、台座部に配設されたＤＶＤ用グレーティング３３１が配設されている。このＤＶＤ用グレーティング３３１は、図示しない取付ベースに一体的に取り付けられ取付部材にて台座部に配設されている。
【００１３】
さらに、ベース３１０には、半導体レーザ３２０の光軸上に位置して、半透過ミラー３４１が配設されている。この半透過ミラー３４１は、ＤＶＤ用レーザ光を反射するとともに、反射方向から入射されるＤＶＤ用レーザ光を透過する。さらに、ベース３１０には、半透過ミラー３４１にて反射したＤＶＤ用レーザ光を反射するミラー３４２が配設されている。また、ベース３１０には、ミラー３４２にて反射したＤＶＤ用レーザ光の径や広がり角を調整するコリメータレンズ３４３が配設されている。そして、このコリメータレンズ３４３に隣接して、径や広がり角が調整されたＤＶＤ用レーザ光が透過する波長板３４４や図示しない波面収差を低減するための液晶パネルなどが配設されている。
【００１４】
また、ベース３１０には、図１ないし図３に示すように、半透過ミラー３４１にて透過されたＤＶＤ用レーザ光を受光して所定の信号を出力する受光手段としての受光素子３５０が配設されている。また、半透過ミラー３４１と受光素子３５０との間には、シリンドリカルレンズ３４５が配設されている。このシリンドリカルレンズ３４５は、図４に示すように、ＤＶＤ用レーザ光を受光素子３５０の受光面の位置で非点収差による略線状に集光する位置関係Ａ，Ｂが２箇所あるとともに、この線状の集光位置の間に略円形に集光する位置関係Ｃがある。なお、シリンドリカルレンズ３４５は、周縁に径方向に略対向する図示しない一対の平面部を有している。そして、このシリンドリカルレンズ３４５は、図５ないし図８に示す固定部材を構成する保持装置としてのレンズベース３６０にてベース３１０に位置決め固定される。
【００１５】
このシリンドリカルレンズ３４５を配設するレンズベース３６０は、例えば合成樹脂などにて形成され、矩形状の当接部３６１を有している。この当接部３６１の略中央には、略扁平円形状の貫通孔３６１Ａが設けられ、一面側はシリンドリカルレンズ３４５の光軸方向の一端周縁が当接される当接面３６１Ｂとなっている。
【００１６】
そして、当接部３６１の長手方向の両端部には、当接面３６１Ｂ側に向けて同方向に一連に突出する一対の保持部３６２を有している。これら保持部３６２には、対向する面に略曲面凹状の保持凹部３６２Ａがそれぞれ設けられている。これら対向する保持凹部３６２Ａにて、保持部３６２はシリンドリカルレンズ３４５の径寸法と略同寸法の円筒状の内周面を構成する。そして、一対の保持部３６２の両側間には、保持部３６２に保持されるシリンドリカルレンズ３４５の周面の一部、すなわち平面部が臨む状態に開口部３６２Ｂが開口形成される。
【００１７】
また、保持部３６２の外面には、開口部３６２Ｂの開口面の対向方向に溝状で保持部３６２の対向方向で外方に向けて拡開する係合凹部としてのＶ字状のＶ溝部３６３が設けられている。このＶ溝部３６３は図示しないチャック機構を有する支持装置にてチャック機構が係脱可能に係合され、レンズベース３６０が支持装置に支持可能となっている。
【００１８】
さらに、当接部３６１の長手方向の両端部には、保持部３６２が突出する側と反対側に一連に突出する一対の脚部３６４Ａにて構成される取付部３６４が設けられている。この取付部３６４は、一対の脚部３６４Ａが対向方向と反対側にそれぞれ突出する状態に形成されている。そして、脚部３６４Ａの先端は、さらに対向方向と反対側に折曲する状態に設けられ、外面側に取付壁部に接着剤３１２などにて取り付けられる取付面３６４Ｂがそれぞれ設けられている。これら取付面３６４Ｂは、これら取付面３６４Ｂにて一平面が構成されている。
【００１９】
そして、シリンドリカルレンズ３４５は、レンズベース３６０の保持部３６２間に光軸方向の一端周縁が当接面３６１Ｂに当接するまで嵌合され、シリンドリカルレンズ３４５の光軸方向に対して直交する径方向で挾持される状態、すなわちシリンドリカルレンズ３４５の光軸方向が貫通孔３６１Ａの中心軸に対して略同軸上となる状態に保持されている。このシリンドリカルレンズ３４５を保持するレンズベース３６０が、図２に示すように、光軸方向Ｚ、シリンドリカルレンズ３４５における直交する径方向Ｘ，Ｙ、および周方向である回転方向Ｒで適宜調整され、図３に示すように、この位置調整された状態で取付部３６４にてベース３１０に接着剤３１２などにて取り付けられて固定される。
【００２０】
また、光ピックアップ３００には、図示しない対物レンズベースに保持された対物レンズ３７０を備えている。この対物レンズ３７０は、ミラー３４２にて反射されたＤＶＤ用レーザ光の光軸に沿った方向および光軸に対して直交するトラッキング方向であるラジアル方向に移動可能に配設される。この対物レンズ３７０の移動は、ベース３１０および対物レンズベースに取り付けられた図示しない磁性体やマグネット、コイルなどを備えた移動手段により移動される。そして、対物レンズ３７０が移動されていない通常状態で、シリンドリカルレンズ３４５による受光素子３５０の受光面における集光が略円形となる位置関係Ｃで、かつ受光面において２方向の線状に集光される状態を検知可能に、図２に示すように適宜調整され、シリンドリカルレンズ３４５がレンズベース３６０によりベース３１０に取付固定されて配設されている。
【００２１】
その他、光ピックアップ３００には、ＤＶＤ用レーザ光の一部を受光して受光量を検出し、半導体レーザ３２０の出力を調整させるフロントモニタ用受光素子や、図２に示すような受光素子３５０に集光させるコリメータレンズ３４６、各種ミラーなどの光学素子なども配設されている。
【００２２】
〔光ピックアップの組立動作〕
次に、上記光ピックアップ３００の組立動作について説明する。
【００２３】
あらかじめ所定の形状に形成されたベース３１０に、半導体レーザ３２０や受光素子３５０、フロントモニタ用受光素子などの電気部品を配設する。さらに、ＤＶＤ用グレーティング３３１を取り付けた取付ベースを取付部材にて取り付けるとともに、半透過ミラー３４１やミラー３４２、コリメータレンズ３４３や波長板３４４などの各種光学素子を配設する。この後、対物レンズ３７０を取り付けた対物レンズベースとともに移動手段を配設する
【００２４】
さらに、シリンドリカルレンズ３４５を装着したレンズベース３６０を支持装置に支持させ、所定の位置に配設する。この支持装置に支持した状態で、支持装置は、開口部３６２Ｂに臨むシリンドリカルレンズ３４５の一平面を認識し、シリンドリカルレンズ３４５の姿勢を認識する。このレンズベース３６０の配設の際、受光素子３５０の受光面で受光するＤＶＤ用レーザ光が図４に示すような略円形に集光する位置関係Ｃとなる状態に、支持装置にてレンズベース３６０を光軸方向Ｚおよび径方向Ｘ，Ｙで移動させる。さらに、非点収差による略線状に集光された状態を受光素子３５０にて検出可能に回転方向Ｒで回転させ、位置調整する。そして、この位置調整した状態で取付部３６４の取付面３６４Ｂを接着剤３１２などにてベース３１０の取付壁部に接着固定し、シリンドリカルレンズ３４５をレンズベース３６０にてベース３１０に配設する。
【００２５】
そして、取付部材にて取り付けた取付ベースを周方向で回転させて、通過するＤＶＤ用レーザ光の回折状態を適宜設定し、光ピックアップ３００を組立成形する。
【００２６】
〔光ピックアップにおける作用効果〕
上述したように、上記一実施の形態では、半導体レーザ３２０から出射されるＤＶＤ用レーザ光を、受光素子３５０の受光面の位置で非点収差による略線状に集光するシリンドリカルレンズ３４５の２箇所の位置関係Ａ，Ｂ間に、シリンドリカルレンズ３４５が位置する状態に、光軸方向Ｚ、直交する２つの径方向Ｘ，Ｙおよび回転方向Ｒで位置調整して位置決め固定する。このため、小型化の設計が受光素子３５０より容易なシリンドリカルレンズ３４５を４方向で移動させ、適切な集光状態が得られるように位置調整しているので、受光素子３５０を位置調整する必要がなく、受光素子３５０を配置可能な寸法まで光ピックアップ３００を小型化できる。したがって、例えば携帯型のパーソナルコンピュータなどに利用されるディスク装置のさらなる薄型も容易にできる。
【００２７】
さらには、４方向で位置調整、すなわち回転方向Ｒでも位置調整している。このため、非点収差のレンズ回転方向ズレによるサーボ信号の漏れ込みノイズをも低減でき、高精度に調整できる。
【００２８】
また、各電気部品や各光学素子を配置した後に、シリンドリカルレンズ３４５の位置調整を実施している。このため、最終的な位置調整がシリンドリカルレンズ３４５の１箇所となり、高精度な調整ができ、部品の相対位置ズレが生じにくく、信頼性も向上できる。
【００２９】
さらに、シリンドリカルレンズ３４５をレンズベース３６０に装着し、支持装置にて位置調整する構成としている。このため、シリンドリカルレンズ３４５がベース３１０に対して空中で位置調整される状態となり、容易に４方向の位置調整ができ、高精度な調整が容易にできる。また、空中で位置調整する状態であるため、例えばベース３１０にシリンドリカルレンズ３４５の位置調整のために摺動させてガイドさせる摺動面などを設ける必要もなく、構成の簡略化が得られるとともに、摺動移動時における振動や引っ掛かりなどもなく、安定した位置調整ができる。さらには、空中で位置調整する状態であるため、シリンドリカルレンズ３４５の主面が透過するＤＶＤ用レーザ光の波面に対して傾斜する方向にも調整可能となり、例えば波面収差を低減できるなど、より高精度な調整ができる。さらに、空中で位置調整する状態としているため、レンズベース３６０に嵌合保持する構成やレンズベース３６０をベース３１０に取り付ける構成で多少の公差が生じていても適切に位置調整されるので、シリンドリカルレンズ３４５やレンズベース３６０の寸法公差を拡大でき、製造性の向上や歩留まりの向上によるコストの低減なども容易に得られる。
【００３０】
また、このシリンドリカルレンズ３４５の配設は、図５ないし図８に示すレンズベース３６０を用いている。すなわち、シリンドリカルレンズ３４５の光軸方向の一端周縁が当接する当接面３６１Ｂを有した当接部３６１に、シリンドリカルレンズ３４５の周縁の少なくとも一面が臨む開口部３６２Ｂを有しシリンドリカルレンズ３４５の周縁を光軸方向に対して直交する径方向で保持する一対の保持部３６２を設けるとともに、保持部３６２と反対側にベース３１０に取り付けられる取付面３６４Ｂを有した取付部３６４を設ける。そして、保持部３６２の外面に支持装置が係脱可能に係合して保持されるＶ溝部３６３を設けている。このため、レンズベース３６０の開口部３６２Ｂが設けられた方向である幅寸法を最小限に設定でき、この方向を例えば薄型のために光ピックアップ３００の寸法規制がある例えば径方向Ｙとすることで、光ピックアップ３００を容易に小型化できる。
【００３１】
そして、保持部３６２をシリンドリカルレンズ３４５を径方向で挾持する状態に一対の構成としている。このため、一対の保持部３６２の対向方向と直交する方向に一対の開口部３６２Ｂが構成され、この方向での幅寸法を容易に短縮化でき、簡単な構造で容易に小型化が図れる。また、開口部３６２Ｂによりシリンドリカルレンズ３４５の一平面が臨む状態とすることで、この方向でのさらなる幅寸法の短縮化が容易にできるとともに、支持装置に一平面に当接する位置決め部などを設けることで、容易に支持した状態でのシリンドリカルレンズ３４５の姿勢をも容易に認識でき、さらに位置調整が容易にできる。
【００３２】
さらに、一対の保持部３６２の対向面にシリンドリカルレンズ３４５を嵌挿保持するための曲面凹状の保持凹部３６２Ａを設けて略円筒状の内周面が構成される形状に形成している。このため、幅寸法を大型化することなく簡単な構造でシリンドリカルレンズ３４５を安定して保持できる。
【００３３】
また、シリンドリカルレンズ３４５の軸方向の一端周縁が当接する当接面３６１Ｂを有した当接部３６１として、略中央に貫通孔３６１Ａを有し保持部３６２の内周面である対向面に突出する状態に設けている。このため、幅寸法を大型化することなくシリンドリカルレンズ３４５の集光状態を阻害せずに位置決め保持できる構成が容易に得られる。
【００３４】
さらに、当接部３６１に対して保持部３６２と反対側に、先端にベース３１０に取り付けられる取付面３６４Ｂを有した一対の脚部３６４Ａを開口部３６２Ｂの開口面に略平行な方向で突設、すなわち保持部３６２の対向方向で対向する状態に突設している。このため、ベース３１０に取り付けるための構成が幅寸法で大型化することなく容易に得られる。
【００３５】
そして、これら脚部３６４Ａの先端が互いに反対方向に向けて突出する状態に設けている。このため、ベース３１０に取り付ける間隔が広くなり、例えば接着剤による接着の際の接着剤の変化による位置ずれが生じにくくなり、位置調整した状態で確実に取り付けることが簡単な構成で容易に得られる。さらに、脚部３６４Ａの先端部を対向方向と反対側に折曲する状態に設け、外面側に取付面３６４Ｂを設けている。このため、幅方向の寸法を大型化することなく、簡単な構造で容易に取付面積を拡大でき、十分な接着力が得られ、確実な位置決め固定ができる。
【００３６】
また、脚部３６４Ａの取付面３６４Ｂを当接面３６１Ｂに対して略平行で、かつ一対の取付面３６４Ｂが一平面上に構成される状態に形成している。このため、シリンドリカルレンズ３４５の取付状態での姿勢を簡単な構成で容易に認識できる。
【００３７】
さらに、脚部３６４Ａを先端に向けて次第に幅狭に形成している。このため、回転方向Ｒで位置調整する場合に、脚部３６４Ａの先端が径方向Ｙで突出する状態となることを防止でき、簡単な構成で確実に小型化できる。
【００３８】
そして、支持装置に係合されて保持されるＶ溝部３６３を幅方向に溝状で保持部３６２の対向方向の外側に向けて拡開するＶ字状としている。このため、支持装置に支持された状態で、簡単な構成でレンズベース３６０が確実に位置決め支持され、確実に位置調整できる。
【００３９】
〔実施形態の変形〕
なお、本発明は、上述した各実施の形態に限定されるものではなく、本発明の目的を達成できる範囲で以下に示される変形をも含むものである。
【００４０】
すなわち、光ディスク１０を対象とした情報処理を実施するディスク装置に用いられる光ピックアップ３００について例示したが、上述したように、ディスク装置に限らず、いずれの記録媒体の情報を処理する光ピックアップ、さらには情報処理を実施する機器に限らず、被照射物に光源からの出射光を照射するカメラや望遠鏡などのいずれの光学系機器にも適用できる。
【００４１】
そして、光源として、ＤＶＤ用レーザ光を出射するＤＶＤ用の半導体レーザ３２０を用いて説明したが、上述したように、ＣＤ用レーザ光を出射するＣＤ用の半導体レーザを用いるなど、他の波長の光を出射するものや、ＣＤ用レーザ光およびＤＶＤ用レーザ光の２つの波長の光を出射する１つの半導体レーザを用いたり、２つの波長の光に限らず、さらに他の波長の光を出射可能な半導体レーザを用いたりすることもできる。また、半導体レーザに限らず、他のいずれの光源をも利用できる。
【００４２】
そして、シリンドリカルレンズ３４５をレンズベース３６０に保持してベース３１０に位置決め固定して説明したが、レンズベース３６０を用いず、支持装置にて位置調整した状態でベース３１０に直接接着固定するなどしてもよい。また、レンズベース３６０を金属製として金属製のベース３１０に半田付けなどにより接着するなど、いずれの方法で接着してもよい。さらには、接着のみに限らず、光軸方向の主面を除く状態で樹脂中に埋設して配設するなどしてもよい。なお、半田付けとすることで、温度や湿度の変化に対する変形量を減少でき、より安定した特性が容易に得られる。
【００４３】
また、レンズベース３６０としては、上述した構成に限られない。例えば保持部３６２として一対で構成したが、例えば略円筒形状とするなどしてもよい。さらには、保持部３６２に保持凹部３６２Ａを設けて説明したが、径方向で少なくとも異なる２方向で挾持する状態に保持するいずれの構成、例えば矩形状の凹部や保持部３６２の対向面に対向方向に向けて突出する２つの爪部などを設けるなどしてもよい。そして、取付部３６４として一対の脚部３６４Ａを有した構成に限らず、ベース３１０に取付可能ないずれの形状、例えば当接部３６１の当接面３６１Ｂと反対側の面を取付面３６４Ｂとした取付部３６４としてもよい。なお、脚部３６４Ａが突出する構成としているため、仮に接着剤が取付面３６４Ｂからはみ出しても光路上に接着剤が進出することを防止でき、簡単な取付作業でも光特性が損なわれず、安定した特性が容易に得られる。さらには、係合凹部としてＶ溝状に限らす、例えば円錐形の凹部とするなど、いずれの形状とすることができる。
【００４４】
そして、シリンドリカルレンズ３４５とレンズベース３６０とを一体に形成したものを取り付けてもよい。この場合には、部品点数を減少でき、例えばシリンドリカルレンズ３４５をレンズベース３６０に装着する作業が不要となるなど、組立製造性を向上できる。さらにはシリンドリカルレンズ３４５にＶ溝部３６３や取付部３６４が一体に設けられる構成となることから、保持部３６２が不要となり、さらなる小型化が容易に図れる。
【００４５】
また、シリンドリカルレンズ３４５として対向する一対の平面を有した構成を例示したが、少なくとも一平面を有していればよい。すなわち、一平面でも径方向の寸法の短縮化ができ、小型化が容易に図れる。なお、上述したように、一対設けることでより小型化が容易に図れる。さらには、他の部分は周縁の状態とすることで保持の際に嵌合させるなど簡単な構成で保持でき、好ましい。
【００４６】
その他、本発明の実施の際の具体的な構造および手順は、本発明の目的を達成できる範囲で他の構造などに適宜変更できる。
【００４７】
〔実施形態の効果〕
上述したように、半導体レーザ３２０からのＤＶＤ用レーザ光を、受光素子３５０の受光面の位置で非点収差による略線状に集光するシリンドリカルレンズ３４５の２箇所の位置関係Ａ，Ｂ間に、シリンドリカルレンズ３４５が位置する状態に、光軸方向Ｚ、直交する２つの径方向Ｘ，Ｙおよび回転方向Ｒで位置調整して位置決め固定する。このため、小型化の設計が受光素子３５０より容易なシリンドリカルレンズ３４５を４方向で移動させ、適切な集光状態が得られるように位置調整しているので、受光素子３５０を位置調整する必要がなく、受光素子３５０を配置可能な寸法まで光ピックアップ３００を小型化できる。
【００４８】
また、シリンドリカルレンズ３４５の周縁の少なくとも位置平面が臨む開口部３６２Ｂを有しシリンドリカルレンズ３４５の周縁を光軸方向に対して交差する方向で保持する保持部３６２と、シリンドリカルレンズ３４５の光軸方向の一端周縁が当接する当接面３６１Ｂを有した当接部３６１と、保持部３６２の外面に設けられ支持装置が係脱可能に係合して保持されるＶ溝部３６３と、ベース３１０に取り付けられる取付面３６４Ｂを先端に設けた取付部３６４を有したレンズベース３６０を用いる。このため、支持装置にてシリンドリカルレンズ３４５を所定の姿勢で配設することが容易となり、例えばシリンドリカルレンズ３４５の光軸方向、直交する２つの径方向、回転方向など、複数の方向で位置調整させるなどが容易にでき、シリンドリカルレンズ３４５を簡単な構成で容易に配置できる。
【産業上の利用可能性】
【００４９】
本発明は、光学素子を備えた光ピックアップおよびその製造方法ならびに保持装置として利用でき、光ディスクなどのディスク状記録媒体を処理するディスク装置などに利用できる。
【図面の簡単な説明】
【００５０】
【図１】本発明における一実施形態に係る光ピックアップの光路構成である光学的な概略構成を示す構成図である。
【図２】前記一実施形態における光ピックアップのシリンドリカルレンズの配設状況を説明するための説明図である。
【図３】前記一実施形態における光ピックアップにおけるシリンドリカルレンズ近傍を示す一部を切り欠いた斜視図である。
【図４】前記一実施形態におけるシリンドリカルレンズによる非点収差の状況を説明する説明図で、（Ａ）は出射光の集光状況を示す側面図で、（Ｂ）は出射光の集光状況を示す断面図である。
【図５】前記一実施の形態におけるレンズベースを示す側面図である。
【図６】前記一実施の形態におけるレンズベースを示す正面図である。
【図７】前記一実施の形態におけるレンズベースを示す背面図である。
【図８】前記一実施の形態におけるレンズベースを示す断面図である。
【符号の説明】
【００５１】
１０……被照射物としての光ディスク
３００……光ピックアップ
３１０……筐体としてのベース
３２０……光源である半導体レーザ
３４５……シリンドリカルレンズ
３５０……受光手段としての受光素子
３６０……固定部材を構成する保持装置としてのレンズベース
３６１……当接部
３６１Ｂ…当接面
３６２……保持部
３６２Ｂ…開口部
３６３……係合凹部としてのＶ溝部
３６４……取付部
３６４Ａ…脚部
３６４Ｂ…取付面
３７０……対物レンズ
【国際調査報告】
2005093730.tif 000011
2005093730.tif 000012
2005093730.tif 000013
2005093730.tif 000014